【事件の表示】
　特許第３１３４０９４号「クリーナーホース」の請求項１ないし５に係る特許に対する特許異議の申立てについて、次のとおり決定する。
【結　論】
　訂正を認める。
　特許第３１３４０９４号の請求項１に係る特許を取り消す。
【理　由】
［１］手続きの経緯
　特許第３１３４０９４号の請求項１乃至５に係る発明についての出願は、平成６年４月１日に特許出願され、平成１２年１２月１日にその発明について特許権の設定登録がされた後、その特許について、特許異議申立人　タイガースポリマー株式会社より特許異議の申立てがされ、取消しの理由が通知され、その指定期間内である平成１３年12月２１日に訂正請求がされたものである。
　
［２］訂正の適否についての判断
１．訂正の内容
１）特許請求の範囲の請求項１の記載を以下のとおり訂正する。
「ホース本体（３）の両端にクリーナー操作筒（Ｐ）への接続筒体（４）とクリーナー本体（Ｃ）への接続筒体（５）が連結され、ホース本体（３）の全長にわたって連続する補強線材（１）が螺旋状に巻回配設されているクリーナーホースであって、該補強線材（１）が、ホース本体（３）の両端近くの所定長さ部分（ａ），（ｂ）においてホース壁（６）を内周面側に向けて弛ませた状態で相互に略密着または接近する急傾斜螺旋状に形成されていて、この両端部分を除く中間部分（ｃ）ではホース壁が伸びた通常状態で管軸方向に相互に離れた緩傾斜螺旋状に形成され、かつ、前記補強線材（１）が１本の鋼線と２本の導電線（２），（２）とを一対として樹脂被覆されている被覆部（１０）で形成されているクリーナーホース」と訂正する。
２）特許請求の範囲の請求項２乃至５を削除する。
３）上記特許請求の範囲の訂正に伴い、発明の詳細な説明の記載を下記のとおり訂正する。
（ａ）明細書の段落【０００７】の「・・・硬鋼線の裸線または硬鋼線の被覆線若しくは硬鋼線と導電線とを樹脂被覆した被覆線の配線構造を・・・」との記載を、「・・・硬鋼線と２本の導電線とを樹脂被覆した被覆線の配線構造を・・・」と訂正する。
（ｂ）明細書の段落【０００８】の「・・・ホース本体３の前記両接続筒体４，５に隣接する一端または両端の所定長さ部分ａまたはｂ若しくはａ，ｂだけ・・・」との記載を、「・・・ホース本体３の前記両接続筒体４，５に隣接する両端の所定長さ部分ａ，ｂだけ・・・」と訂正する。
（ｃ）明細書の段落【０００９】の「前記補強線材１と導電線２の被覆線１０は、補強線材１と導電線２とをホース壁６の軸方向に並列配置してあるもの、ホース壁の周方向に縦列配置してあるもの、導電線２を補強線材１の外周に配置してあるもの等、その他どのような構造のものであっても本発明に使用することができる。また、子の被覆線材１０は、補強線材１本と導電線１本とを被覆したもののみに限らず、補強線材１本と導電線２本とを一対として被覆したものでもよい。」との記載を、「更に、この被覆線材１０は、鋼線からなる補強線材１本と導電線２本とを一対として被覆したものを使用したものである。」と訂正する。
（ｄ）明細書の段落【００１０】の「・・・その層間に裸線１または被覆線材１０を挟み込んだもの・・・」との記載を、「・・・その層間に被覆線材１０を挟み込んだもの、・・・」と訂正する。
（ｅ）明細書の段落【００１３】の「・・・第１実施例・・・」との記載を、「・・・実施例・・・」と訂正する。
（ｆ）明細書の段落【００１４】の「該実施例に示した被覆線１０は、直径１ｍｍ程度の・・・」、「・・・円弧状に被覆したものである。」との記載を、それぞれ、「該実施例に示した被覆線１０は、一般に公知となっているところの、直径１ｍｍ程度の・・・」、「・・・円弧状に被覆した被覆線について示したものである。」と訂正する。
（ｇ）明細書の段落【００１８】乃至【００２１】を削除する。
（ｈ）明細書の段落【００２２】の段落番号を【００１８】と訂正するとともに、「図１０に示した実施例は、・・・」との記載を、「図６に示した実施例は、本発明を示す実施例であって、・・・」と訂正する。
（ｉ）明細書の段落【００２３】乃至【００２６】を削除する。
（ｊ）明細書の段落【００２７】の段落番号を【００１９】と訂正するとともに、「・・・配設形成してある構造としたものであるから、クリーナーの使用時において、・・・」、「・・・クリーナーの操作筒の近くに形成してある被覆線材の急傾斜部分またはクリーナー本体の近くに形成してある被覆線材の急傾斜部分若しくはその両方の部分が・・・」との記載を、それぞれ「・・・配設形成してある構造とし、かつ、補強線材が１本の鋼線と２本の導電線とを一対として樹脂被覆されている被覆線で形成したものであるから、クリーナの使用時において、・・・」、「・・・クリーナーの操作筒の近くに形成してある被覆線材の急傾斜部分及びクリーナー本体の近くに形成してある被覆線材の急傾斜部分の両方の部分が・・・」と訂正する。
（ｋ）明細書の段落【００２８】の段落番号を【００２０】と訂正するとともに、「・・・出来るに至ったのである。」との記載を、「・・・出来るに至ったのである。更に加えて、１本の鋼線と２本の導電線を一対として樹脂被覆した被覆線を使用するものであるから、１本の被覆線で抵抗の少ない１つの電線回路を形成させることができる利点をも併せて有しているものである。」と訂正する。
（ｌ）明細書の【図面の簡単な説明】の【第７図】乃至【第１６図】の説明を削除するとともに、「【第１図】本発明のホースの一部を破断した部分概観図。」、「【第６図】別実施例を示す図２相当部分の拡大断面図。」との記載を、それぞれ、「【第１図】本発明を説明するホースの一部を破断した部分概観図。」、「【第６図】本発明の主たる実施例を示す図３相当部分の拡大断面図。」と訂正する。
（ｍ）図面の第６図乃至第９図、第１１図乃至第１６図を削除する。
（ｎ）図面中の【第１０図】との記載を、【第６図】と訂正する。
　
２．訂正の目的の適否、新規事項の有無及び拡張・変更の存否
　訂正事項１）は、「急傾斜螺旋状に形成され」た「所定長さ部分」の位置、及び「補強線材」の構成をそれぞれ限定し、訂正事項２）は、請求項２乃至５を削除しているから、いずれも特許請求の範囲の減縮に相当する。しかも訂正事項１）の「所定長さ部分」の位置を限定した点、「補強線材」の構成を限定した点は、それぞれ訂正前の請求項１、訂正前の明細書の段落【００２２】及び第１０図、の記載を根拠とするものであるから、新規事項の追加に該当せず、実質上特許請求の範囲を拡張又は変更するものとも認められない。
　訂正事項３）は、上記特許請求の範囲の訂正にともなって、発明の詳細な説明、図面の簡単な説明及び図面の記載を特許請求の範囲の記載と整合させたものであるから、明りょうでない記載の釈明に相当する。しかも、当該訂正事項は、願書に添付した明細書に記載された範囲においてされたものであって、実質上特許請求の範囲を拡張し又は変更するものではない。
　
３．むすび
　したがって、上記訂正事項１）乃至３）は、特許法第１２０条の４第２項並びに同条第３項において準用する平成６年法改正前の第１２６条第１項及び第２項の規定に適合するので、当該訂正を認める。
　　
［３］特許異議の申立てについての判断
１．請求項１に係る発明（以下、「本件発明」という。）について
　上記［２］で示したように上記訂正は認められるから、本件発明は、上記訂正に係る訂正明細書の特許請求の範囲の請求項１に記載された事項により特定されるとおりのものである。（上記［２］１．１）参照。）
２．引用刊行物に記載された発明
１）当審が平成１３年１０月２６日付けで通知した取消しの理由において引用した刊行物１（特開平４−２４００９号公報）には、図面とともに次の事項が記載されている。
（ｉ）「特に、この種の外力が度重なって加えられると、変形し易い蛇腹の両端部付近の被覆が破れて、吸塵力が落ちて連結ホース（８）が使用不能になる等の問題点があった。本発明はこのようなことに着目してなされたもので、連結ホース（８）の可撓部に伸び縮みと曲げ角の大きい完撓部を設けて、伸縮及び屈曲自在に構成して取扱い易く故障のない電気掃除機を提供しようとするものである。」（第２頁左下欄第１１行乃至第１９行）
（ｉｉ）「第１図と第２図において、（１）は板床や畳床或いは絨毯床を示す床面、（２）は床面（１）の上に置かれた掃除機の本体である。（３）は本体（２）に設けられていた操作部、（４）は吸気口、（５）と（６）は１個の前車輪と２個の後車輪、（７）はコードである。（８）は連結ホース、（９）は把持部、（１０）は手元スイッチである。（８０）は連結ホース（８）の蛇腹で構成された可撓部で、可撓性の低い半撓部（８１）と可撓性の高い完撓部（８２）とからなる。可撓部（８０）は合成樹脂材の蛇腹の中に、螺旋状の細いバネ鋼の線材を埋め込んで作られている。そして、半撓部（８１）のバネ鋼材は外力が加わらない平常状態で、１０ｍｍ程度の比較的広い螺旋間隔の螺旋状態を継続的に保持している。このため、半撓部（８１）の長さ方向の伸縮は規制され、半径方向は幾分自由に撓んで半撓性に作られている。これに対し、完撓部（８２）はバネ鋼材が自然状態で螺旋が収縮して密接していて、拡張する外力が加わると著しく伸長したり総べての方向に屈曲するようになっている。そして、連結ホース（８）の基部付近に、可撓部（８０）の全長Ｌの１／８程度の長さｌの範囲に完撓部（８２）が形成されている。（１１）は２本継ぎの延長パイプ、（１２）は床面吸込具である」（第３頁左上欄第１８行乃至左下欄第１行）
　上記「可撓部（８０）は合成樹脂材の蛇腹の中に、螺旋状の細いバネ鋼の線材を埋め込んで作られている。」との記載及び図面の記載から見て、「螺旋状の細いバネ鋼の線材」は、「補強線材」を意味するとともに、該線材は、可撓部と同一部材である連結ホース（８０）の全長にわたって連続して巻回配設されていると認められる。
　上記「バネ鋼材が自然状態で螺旋が収縮して密接していて」との記載は、第1図を参酌すれば、「バネ鋼材」が、連結ホースの壁を「相互に略接近する急傾斜螺旋状」に形成されていることを意味すると認める。
　また、上記「外力が加わらない平常状態で、１０ｍｍ程度の比較的広い螺旋間隔の螺旋状態を継続的に保持している。このため、半撓部（８１）の長さ方向の伸縮は規制され、半径方向は幾分自由に撓んで半撓性に作られている。」との記載は、第1図を参酌すれば、「バネ鋼材」が実質的に「ホース壁が伸びた通常状態で管軸方向に相互に離れた緩傾斜螺旋状」に形成されていることを意味すると認める。
　さらに、「連結ホース」は、掃除機全体の一部分を構成し、把持部・手元スイッチ部と掃除機の本体とを連結させていることから、該ホースは「クリーナーホース」を構成していると認めることができる。
　
　したがって、刊行物１には、上記記載事項及び図面の図示内容等からみて、
「連結ホース（８）の両端に、把持部（９）、手元スイッチ（１０）と掃除機の本体（２）が連結され、連結ホース（８）の全長にわたって連続する補強線材が螺旋状に巻回配設されているクリーナーホースであって、該補強線材が、連結ホースの基部付近の所定長さ部分において連結ホースの壁を相互に接近する急傾斜螺旋状に形成されていて、この部分を除く部分では通常状態で管軸方向に相互に離れた緩傾斜螺旋状に形成された連結ホース」（以下、「引用発明１」という。）が記載されていると認められる。
　
２）さらに同刊行物２（特開平６−３８９１５号公報）には、図面とともに次の事項が記載されている。
（ｉ）「本発明は、電気掃除機用の塵埃吸引用に用いるクリーナーホースであって、より詳しくは、ホース本体の内部に強度保持用の補強線材と通電用の導電線とがホース本体の内部に螺旋状に巻回配設されているクリーナーホースに関するものである。」（段落【０００１】）
（ｉｉ）「・・・図８に示した実施例は、補強線材（１）１本と導電線（２）２本とを対として被覆した被覆線（Ａ）の実施例について示したものである。該図８の実施例は、前記第１実施例に示した断面形状をもつ構造の被覆線（Ａ）において、他のもう１本の導電線（２）を補強線材（１）を中心として左右対称形に配置した形に形成したものである。」（段落【００２４】）
（ｉｉｉ）「前記図８の実施例に示した被覆線（Ａ）や該図９の（ロ）図に示した被覆線（Ａ）のように、補強線材（１）１本と導電線（２）２本とを対にしたものにあっては、ホース本体（３）に対して１本の被覆線（Ａ）のみを巻回したものでも、手元スイッチ等の操作用として使用することができる。また、このような被覆線（Ａ）を２本巻回させたホースにあっては、１本を掃除機本体ＯＮ・ＯＦＦ用の手元スイッチ用に、他の１本を操作筒の先端に設けた吸引部設置回転体のＯＮ・ＯＦＦ操作用として使用することができる。」（段落【００２６】）
　
３．対比・判断
１）そこで、本件発明と引用発明１とを対比すると、引用発明１の「連結ホース（８）」、「掃除機の本体（２）」は、それぞれ本件発明の「ホース本体（３）」、「クリーナ−本体（Ｃ）」に相当する。さらに、引用発明１の「把持部（９）」と「手元スイッチ（１０）」は、第1図を参酌すれば、本件発明の「クリーナー操作筒」に相当する。
　従って、両者は、「ホース本体の両端に、クリーナー操作筒とクリーナー本体が連結され、ホース本体の全長にわたって連続する補強線材が螺旋状に巻回配設されているクリーナーホースであって、該補強線材が、ホース本体の所定長さ部分においてホース本体の壁を相互に接近する急傾斜螺旋状に形成されていて、この部分を除く部分では通常状態で管軸方向に相互に離れた緩傾斜螺旋状に形成された連結ホース」である点で一致し、下記の点で相違する。
　
（ａ）本件発明では、「接続筒体（４）」「接続筒体（５）」を介して、それぞれ「ホース本体」が「クリーナー操作筒」と「クリーナー本体」に連結されているのに対し、引用発明１では、「接続筒体」を介して連結しているか否か不明である点、
（ｂ）本件発明では、補強線材が急傾斜螺旋状に形成された部分は、「ホース本体の両端」であるのに対し、引用発明１では「ホース本体の基部（クリーナー本体側）付近」である点、
（ｃ）本件発明では、補強線材が急傾斜螺旋状に形成された部分は、「ホース壁を内周面側に向けて弛ませた状態で相互に略密着または接近する急傾斜螺旋状に形成」している、すなわち定常状態において急傾斜螺旋を呈するごとくに形成しているのに対し、引用発明１では、定常状態において、「ホース壁が内周面側に向けて弛んでいる状態」であるか否かが明らかではない点、
（ｄ）本件発明では、「補強線材（１）が１本の鋼線と２本の導電線（２），（２）とを一対として樹脂被覆されている被覆部（１０）で形成されている」のに対し、引用発明１では、補強線材の構成が不明である点。
　
２）相違点（ａ）について
　可撓性のある「ホース本体」をクリーナー操作筒及びクリーナー本体を接続する際、接続部分に可撓性のない管を用いることは、接続のし易さ、気密保持の必要性からして当業者であれば当然配慮し得ることであり、ホース本体の両端に接続筒体を設けることは、当業者が適宜なし得た単なる設計的な事項にすぎない。
　
３）相違点（ｂ）について
　引用発明１では、補強線材を急傾斜螺旋状に形成した部分は、ホース本体の「基部」（クリーナー本体側）であるが、刊行物１には、上記［３］２．１）ｉ）のとおり、「変形し易い蛇腹の両端部付近の被覆が破れて、吸塵力が落ちて連結ホース（８）が使用不能になる」、すなわち連結ホースの両端部が弱いことが示されているし、急傾斜螺旋状に形成した補強線材が弱い部分を補うという作用及び機能を有することを考慮すれば、上記急傾斜螺旋部分をホース本体の両端に設けることは、当業者であれば容易に想到し得ることである。
　
４）相違点（ｃ）について
　引用発明１においても、、急傾斜螺旋状部分は、伸縮、曲折可能にされているのであるし、この伸縮・曲折は、定常状態においてホース壁が内周面側に弛んでいることにより可能となることは明白であるから、実質的に相違があるとは認めることができない。
　
５）相違点（ｄ）について
　刊行物２に記載された発明（以下、「引用発明２」という。）は、強度保持用の補強線材１本と通電用の導電線２本とを対にして被覆した被覆線を、クリーナーホースの内部に螺旋状に巻回配設した構成を具備していることから、相違点（ｄ）に係る構成を具備していると認められる。そして、刊行物１と刊行物２とは同一の技術分野であることから、引用発明１のクリーナ−ホースにおいて、「補強線材」を、引用発明２の「１本の鋼線と２本の導電線（２），（２）とを一対として樹脂被覆されている被覆部（１０）で形成されている」ものとすることは、当業者が容易になし得ることである。
　
６）してみると、引用発明１のクリーナーホースにおいて、引用発明２の補強線材を採用して、本件発明のように構成することは、当業者が容易になし得たことである。しかも、本件発明によって奏される作用及び効果も、引用発明１及び２から当業者であれば十分予測可能なものであって、格別であるとは認めることができない。
　
［４］むすび
　以上のとおり、本件発明は、上記刊行物１及び刊行物２に記載された発明に基いて当業者が容易に発明をすることができたものであるから、本件発明についての特許は、特許法第２９条第２項の規定に違反してされたものであり、拒絶の査定をしなければならない特許出願に対してされたものと認める。
　よって、特許法等の一部を改正する法律（平成６年法律第１１６号）附則第１４条の規定に基づく、特許法等の一部を改正する法律の一部の施行に伴う経過措置を定める政令（平成７年政令第２０５号）第４条第２項の規定により、結論のとおり決定する。
【異議決定日】
平成１４年５月２８日（２００２．５．２８）
【訂正の要旨】
（１）特許請求の範囲の請求項１の記載を以下のとおり訂正する。
「ホース本体（３）の両端にクリーナー操作筒（Ｐ）への接続筒体（４）とクリーナー本体（Ｃ）への接続筒体（５）が連結され、ホース本体（３）の全長にわたって連続する補強線材（１）が螺旋状に巻回配設されているクリーナーホースであって、該補強線材（１）が、ホース本体（３）の両端近くの所定長さ部分（ａ），（ｂ）においてホース壁（６）を内周面側に向けて弛ませた状態で相互に略密着または接近する急傾斜螺旋状に形成されていて、この両端部分を除く中間部分（ｃ）ではホース壁が伸びた通常状態で管軸方向に相互に離れた緩傾斜螺旋状に形成され、かつ、前記補強線材（１）が１本の鋼線と２本の導電線（２），（２）とを一対として樹脂被覆されている被覆部（１０）で形成されているクリーナーホース」と訂正する。
（２）特許請求の範囲の請求項２乃至５を削除する。
（３）上記特許請求の範囲の訂正に伴い、発明の詳細な説明の記載を下記のとおり訂正する。
（ａ）明細書の段落【０００７】の「・・・硬鋼線の裸線または硬鋼線の被覆線若しくは硬鋼線と導電線とを樹脂被覆した被覆線の配線構造を・・・」との記載を、「・・・硬鋼線と２本の導電線とを樹脂被覆した被覆線の配線構造を・・・」と訂正する。
（ｂ）明細書の段落【０００８】の「・・・ホース本体３の前記両接続筒体４，５に隣接する一端または両端の所定長さ部分ａまたはｂ若しくはａ，ｂだけ・・・」との記載を、「・・・ホース本体３の前記両接続筒体４，５に隣接する両端の所定長さ部分ａ，ｂだけ・・・」と訂正する。
（ｃ）明細書の段落【０００９】の「前記補強線材１と導電線の被覆線１０は、補強線材１と導電線２とをホース壁６の軸方向に並列配置してあるもの、ホース壁の周方向に縦列配置してあるもの、導電線２を補強線材１の外周に配置してあるもの等、その他どのような構造のものであっても本発明に使用することができる。また、子の被覆線材１０は、補強線材１本と導電線１本とを被覆したもののみに限らず、補強線材１本と導電線２本とを一対として被覆したものでもよい。」との記載を、「更に、この被覆線材１０は、鋼線からなる補強線材１本と導電線２本とを一対として被覆したものを使用したものである。」と訂正する。
（ｄ）明細書の段落【００１０】の「・・・その層間に裸線１または被覆線材１０を挟み込んだもの・・・」との記載を、「・・・その層間に被覆線材１０を挟み込んだもの、・・・」と訂正する。
（ｅ）明細書の段落【００１３】の「・・・第１実施例・・・」との記載を、「・・・実施例・・・」と訂正する。
（ｆ）明細書の段落【００１４】の「該実施例に示した被覆線１０は、直径１ｍｍ程度の・・・」、「・・・円弧状に被覆したものである。」との記載を、それぞれ、「該実施例に示した被覆線１０は、一般に公知となっているところの、直径１ｍｍ程度の・・・」、「・・・円弧状に被覆した被覆線について示したものである。」と訂正する。
（ｇ）明細書の段落【００１８】乃至【００２１】を削除する。
（ｈ）明細書の段落【００２２】の段落番号を【００１８】と訂正するとともに、「図１０に示した実施例は、・・・」との記載を、「図６に示した実施例は、本発明を示す実施例であって、・・・」と訂正する。
（ｉ）明細書の段落【００２３】乃至【００２６】を削除する。
（ｊ）明細書の段落【００２７】の段落番号を【００１９】と訂正するとともに、「・・・配設してある構造としたものであるから、クリーナーの使用時において、・・・」、「・・・クリーナーの操作筒の近くに形成してある被覆線材の急傾斜部分またはクリーナー本体の近くに形成してある被覆線材の急傾斜部分若しくはその両方の部分が・・・」との記載を、それぞれ「・・・配設してある構造とし、かつ、補強線材が１本の鋼線と２本の導電線とを一対として樹脂被覆されている被覆線で形成したものであるから、クリーナの使用時において、・・・」、「・・・クリーナーの操作筒の近くに形成してある被覆線材の急傾斜部分及びクリーナー本体の近くに形成してある被覆線材の急傾斜部分の両方の部分が・・・」と訂正する。
（ｋ）明細書の段落【００２８】の段落番号を【００２０】と訂正するとともに、「・・・出来るに至ったのである。」との記載を、「・・・出来るに至ったのである。更に加えて、１本の鋼線と２本の導電線を一対として樹脂被覆した被覆線を使用するものであるから、１本の被覆線で抵抗の少ない１つの電線回路を形成させることができる利点をも併せて有しているものである。」と訂正する。
（ｌ）明細書の【図面の簡単な説明】の【第７図】乃至【第１６図】の説明を削除するとともに、「【第１図】本発明のホースの一部を破断した部分概観図。」、「【第６図】別実施例を示す図２相当部分の拡大断面図。」との記載を、それぞれ、「【第１図】本発明を説明するホースの一部を破断した部分概観図。」、「【第６図】本発明の主たる実施例を示す図３相当部分の拡大断面図。」と訂正する。
（ｍ）図面の第６図乃至第９図、第１１図乃至第１６図を削除する。
（ｎ）図面中の【第１０図】との記載を、【第６図】と訂正する。
（５４）【発明の名称】
クリーナーホース
（５７）【特許請求の範囲】
　【請求項１】　ホース本体（３）の両端にクリーナー操作筒（Ｐ）への接続筒体（４）とクリーナー本体（Ｃ）への接続筒体（５）が連結され、ホース本体（３）の全長にわたって連続する補強線材（１）が螺旋状に巻回配設されているクリーナーホースであって、該補強線材（１）が、ホース本体（３）
の両端
（ａ），（ｂ）
この両端
、かつ、前記補強線材（１）が１本の鋼線と２本の導電線（２），（２）とを一対として樹脂被覆されている被覆線（１０）で形成され
【発明の詳細な説明】
　【０００１】
　【産業上の利用分野】
　本発明は、電気掃除機用の塵埃吸引用に用いるクリーナーホースであって、より詳しくは、ホース本体の内部に強度保持用の補強線材が螺旋状に巻回配設されているクリーナーホースに関するものである。
　【０００２】
　【従来の技術】
　従来この種のクリーナーホースは、通常一般に知られている構造として、補強線材としての硬鋼線を樹脂被覆した被覆線、または硬鋼線と通電用の導電線とを樹脂被覆して一体的に形成した被覆線を、一対２本用いてこれを螺旋状に巻回し、その外周面上にホース壁を被嵌接着してホース本体を形成し、その一端側にクリーナー操作筒への接続筒体を連結し他端側にクリーナー本体への接続筒体を連結した構造としたものである。このようにして補強線でホース本体の保形をし、導電線で掃除機本体の電源をＯＮ，ＯＦＦ操作するための手元スイッチに電気接続して使用している。また、ホース本体を内外２重の層に形成し、この２重層間に被覆線を螺旋状に挟み込んだ構造としたものも一般に知られている。
　【０００３】
　【発明が解決しようとする課題】
　而して、これら従来のクリーナーホースは、一般に知られているように、前者のものも後者のものも被覆線がホース本体の全長にわたって一様に相互に離れた緩傾斜螺旋状に形成されている。
　【０００４】
　この種のクリーナーホースは、使用時においてクリーナー操作筒の移動に伴って、クリーナー操作筒とクリーナー本体との間に常に不自然な角度が生じた状態でクリーナー本体を引っ張りながら使用されるので、クリーナーホースのクリーナー操作筒への接続筒体の近く部分とクリーナー本体への接続筒体の近く部分とに、急角度な曲げ作用と曲げ方向への引っ張り力とが局部的集中的に掛けられる。
　【０００５】
　そのために、従来のクリーナーホースにあっては、両端の接続筒体近くの部分のクリーナー本体壁が局部的に破れ易く破損され易いという問題点を有するものであった。
　【０００６】
　また、差し込みコードが一杯に伸びると、それ以上の清掃域が後僅かであっても掃除を続けるためには、コードを近くのコンセントに差し替えなければならないという面倒さを伴うものであった。
　【０００７】
　そこで、本発明は、このような従来のクリーナーホースが有していた問題点を解決することを目的とし、硬鋼線と
２本の
　【０００８】
　【課題を解決するための手段】
　該目的を達成するための本発明の構成を、実施例に対応する図面の符号を用いて説明すると、本発明にいうクリーナーホースは、ホース本体３の一端側にクリーナー操作筒Ｐへの接続筒体４と他端側にクリーナー本体Ｃへの接続筒体５とが連結され、強度保持用の金属製補強線材１と通電用の導電線２とを被覆樹脂１１で被覆した被覆線１０がホース本体３の全長にわたって連続して螺旋状に巻回配設されているクリーナーホースであって、この補強線材１をホース本体３の前記両接続筒体４，５に隣接する
両端
部分ａ，ｂ
　【０００９】
　
更に、この
鋼線からなる
を使用したものである
　【００１０】
　また、本発明にいうホース本体３を構成するホース壁は、一層のものでも二層のものでもよく、二層のものにあってはその層間に被覆線材１０を挟み込んだもの、この層間に更に補強用コードを挟み込んだもの、被覆線材１０の外周に二層形成しその層間に補強用コードを挟み込んだもの等として実施することができる。
　【００１１】
　【作用】
　本発明は、上記のような構造としたものであるから、クリーナーの使用時において、操作筒Ｐの近くに形成してある補強線材１の急傾斜部分（伸縮ゾーンａ）とクリーナー本体Ｃの近くに形成してある補強線材１の急傾斜部分（伸縮ゾーンｂ）が抵抗少なく自由な方向に曲がり柔軟に角度を変えることができる。また、ホースを引っ張ることによって、これらの伸縮ゾーンａ，ｂを管軸方向に伸ばすこともできる。
　【００１２】
　従って、本発明のクリーナーホースは、クリーナーに取り付けて使用するとき、これらの伸縮ゾーンａ，ｂが抵抗少なく自由に曲がるので、使用者に疲労感を与えることが少なく使用することができ、また、これらの部分に局部的な集中応力がかかることがないので、破損されることなく長期間の使用に耐える。
　【００１３】
　【実施例】
　以下本発明の実施例について、図面に基づいて説明する。
　図中、図１乃至図４は、本発明の実施例を示す図であって、図１はクリーナーホースＨの一部を破断した要部の外観形状を示し、図２及び図３は管壁部分の構造を示す拡大図、図４はホース本体の中間部分を省略した全体形状を示した図である。
　【００１４】
　該実施例に示した被覆線１０は、
一般に公知となっているところの、
被覆線について示した
　【００１５】
　該実施例のホースＨは、２本の被覆線１０，１０をダブルピツチ状として螺旋巻回させ、それぞれの導電線２の被覆樹脂１１の上面だけに接着剤７を塗布し、その外周面上にホース壁６を形成するポリ塩化ビニール製の帯状素材を巻回させて隣合う帯状素材の一部を重ね合わせて接続することによってホース本体３を形成し、被覆線１０が、両端部の所定長さ部分ａ，ｂにおいてホース壁６を内周面側に向けて断面形状ループ状に折り込まれて弛ませてある状態で相互に略密着する急傾斜螺旋状となっていて、これら両端部分ａ，ｂを除く中間部分ｃではホース壁６が伸びた通常状態で被覆線１０が管軸方向に相互に離れた緩傾斜螺旋状になっていて、殊に、図４に見られるように、ホース壁６がホース本体３の両端部分において略密着した伸縮ゾーンａ，ｂを形成し、中間部分では通常状態の一般ゾーンｃを形成する構造としたものである。
　【００１６】
　このような構造としたホース本体３に、その一端側にクリーナー操作筒Ｐに接続連結するための接続筒体４を接着剤で連結固定するとともに、他端側にクリーナー本体Ｃに接続連結するための接続筒体５を接着剤で連結固定し、同時に、硬鋼線からなる補強線材１をクリーナー本体Ｃの電源ＯＮ・ＯＦＦ操作用コネクターに、導電線２をクリーナー操作筒Ｐ先端のノズルヘツドＮに内装されている回転ブラシ用モーターに接続する動力用コネクターにそれぞれ接続連結した構造としてある。
　【００１７】
　使用時には、図５に示したように、該ホースＨの一端側の接続筒体４をクリーナー操作筒Ｐの吸気筒Ｄに差し込み、他端側の接続筒体５をクリーナー本体Ｃにおける吸引筒Ｅに差し込んで連結した後、スイッチＳをＯＮ・ＯＦＦ操作して使用する。
　
【００１８】
　
図６
本発明を示す実施例であって、
　
【００１９】
　【発明の効果】
　以上の説明から既に明らかなように、本発明は、ホース本体における補強線を、ホース本体の両端に接続した接続筒体の両端に隣接する所定長さ部分のホース壁だけを内周面側に弛ませた状態で相互に略密着または接近する急傾斜螺旋状に配設形成し、この所定域部分を除く中間部分ではホース壁が伸びた通常状態で管軸方向に相互に離れた緩傾斜螺旋状に配設形成してある構造とし
、かつ、補強線材が１本の鋼線と２本の導電線とを一対として樹脂被覆されている被覆線で形成し
及び
　
【００２０】
　また、本発明のクリーナーホースは、クリーナーに取り付けて使用するとき、この伸縮自在な部分が抵抗少なく自由に曲がるので、使用者に疲労感を与えることが少ない状態で使用することができ、また、あと少し先まで掃除をしたいとき、ホースを引っ張ることによってこれらの両伸縮自在部分を管軸方向に引き伸ばして使用することが可能であるので、このような場合に差し込み電源を変更する必要がなく便利に掃除を行うことができるという効果をも併せて期待することが出来るに至ったのである。
更に加えて、１本の鋼線と２本の導電線を一対として樹脂被覆した被覆線を使用するものであるから、１本の被覆線で抵抗の少ない１つの電線回路を形成させることができる利点をも併せて有しているものである。
【図面の簡単な説明】
　【図１】
　本発明
を説明する
　【図２】
　管壁の中間部分の拡大断面図。
　【図３】
　管壁の端部分の拡大断面図。
　【図４】
　中間部分を省略したホース本体の外観図。
　【図５】
　使用状態を示す側面図。
　【図６】
　
本発明の主たる実施例を示す図３相当部分の拡大断面図。
　【符号の説明】
　（１）　補強線材
　（２）　導電線
　（４），（５）　接続筒体
　（６）　ホース壁
　（１０）　被覆線
　（ａ），（ｂ）　端部分
　（ｃ）　中間部分
【図面】